(57)【要約】【課題】  遮光幕とフィルム原稿とが擦れることをなくし、フィルム原稿に傷が付かないようにしたカラープルーフ作成装置を提供する。【解決手段】  このカラープルーフ作成装置は、複数色の各フィルム原稿にそれぞれの色の光を露光し、その透過光により記録材料にカラー画像を形成する装置であり、フィルム原稿を保持する保持枠と、露光を行う場合に記録材料を保持しながら保持されたフィルム原稿に向けて接近するように移動する記録材料保持台と、記録材料保持台上の記録材料と保持されたフィルム原稿との間に位置し、記録材料を遮光しかつ露光のときに開放するように移動する遮光幕６０と、遮光幕が遮光のために移動するとき遮光幕をカバーするように設けられた保護シート６６と、を備え、保護シート６６は、遮光幕の少なくともフィルム原稿に対向する面を覆いながら遮光幕の遮光のための移動に連動して移動する。【選択図】  図３
2005309128.tif 000002
【特許請求の範囲】
【請求項１】
複数色の各フィルム原稿にそれぞれの色の光を露光し、その透過光により記録材料にカラー画像を形成するカラープルーフ作成装置において、
前記フィルム原稿を保持する保持枠と、
前記露光を行う場合に前記記録材料を保持しながら前記保持されたフィルム原稿に向けて接近するように移動する記録材料保持台と、
前記記録材料保持台上の記録材料と前記保持されたフィルム原稿との間に位置し、前記記録材料を遮光しかつ前記露光のときに開放するように移動する遮光幕と、
前記遮光幕が遮光のために移動するとき前記遮光幕をカバーするように設けられた保護シートと、を備え、
前記保護シートは、前記遮光幕の少なくとも前記フィルム原稿に対向する面を覆いながら前記遮光幕の遮光のための移動に連動して移動することを特徴とするカラープルーフ作成装置。
【請求項２】
前記保護シートは、前記保持枠側の一端で固定され、前記遮光幕の上面及び下面を覆う状態で他端で巻き取り機構により巻き取られることを特徴とする請求項１に記載のカラープルーフ作成装置。
【請求項３】
前記遮光幕が前記記録材料を遮光するため前記フィルム原稿の下側に移動すると、前記巻き取り機構が巻き取りとは反対の方向に回転駆動されながら前記遮光幕の先端部が前記保護シートを押しながら移動することを特徴とする請求項２に記載のカラープルーフ作成装置。
【請求項４】
前記保持枠で保持されたフィルム原稿を押さえて保護するためのカバーシートを備えることを特徴とする請求項１，２または３に記載のカラープルーフ作成装置。
【請求項５】
前記保護シートが弛まないようにテンション機構が設けられていることを特徴とする請求項１，２，３または４に記載のカラープルーフ作成装置。
【発明の詳細な説明】
【技術分野】
【０００１】
本発明は、各色のフィルム原稿の画像を記録材料に順次露光することでカラープルーフを作成するカラープルーフ作成装置に関するものである。
【背景技術】
【０００２】
印刷製版の分野においては、本番の印刷版を作成する前に印刷物の仕上がりを事前に確認するために校正物（カラープルーフ）を得るようにしているが、このためのカラープルーフ作成装置としてカラー感光材料に分解網原稿を直接密着して露光するものが公知である。このカラープルーフ作成装置では、各色の分解網原稿を所定位置に正確に載置し、カラー感光材料に各原稿毎に１回ずつ複数回露光して印刷仕上がりと同じ配色のカラープルーフを作成している（下記特許文献１、２参照）。
【０００３】
上記カラープルーフ作成装置は、図５に概略的に示すように、シート状の感光材料１０２を吸引等で密着保持した露光台１０１を上昇させ、枠１０４に保持された分解網原稿であるフィルム原稿１０５と接近させ、遮光幕１０３を図の下方向に移動させて開放してから、フィルム原稿１０５に感光材料１０２を密着させ、フィルム原稿１０５を透光性のカバーシート（図示省略）で押さえた状態で光源１０６を図の横左方に移動させて露光する。このようにして、例えば、ＹＭＣＫの各色のフィルム原稿の画像を感光材料に順次露光することで、カラープルーフを作成する。
【０００４】
ところが、図５のような従来の装置では、例えばＹ色の露光の後にフィルム原稿を手動で交換するとき、遮光幕１０３が感光紙１０２の遮光のためにフィルム原稿１０５の下側に繰り出してくるが、このとき、遮光幕１０３とフィルム原稿１０５とが擦れ、フィルム原稿１０５に傷が付いてしまうことがあった。遮光幕１０５は表面が滑らかで摩擦抵抗の少ない材質からなり、フィルム原稿に傷が付き難いように配慮されているが、傷の発生が皆無ということは無かった。
【特許文献１】特開平０５−１５０４４７号公報
【特許文献２】特開平１１−２１２１８３号公報
【発明の開示】
【発明が解決しようとする課題】
【０００５】
本発明は、上述のような従来技術の問題に鑑み、遮光幕とフィルム原稿とが擦れることをなくし、フィルム原稿に傷が付かないようにしたカラープルーフ作成装置を提供することを目的とする。
【課題を解決するための手段】
【０００６】
上記目的を達成するために、本発明によるカラープルーフ作成装置は、複数色の各フィルム原稿にそれぞれの色の光を露光し、その透過光により記録材料にカラー画像を形成するカラープルーフ作成装置において、前記フィルム原稿を保持する保持枠と、前記露光を行う場合に前記記録材料を保持しながら前記保持されたフィルム原稿に向けて接近するように移動する記録材料保持台と、前記記録材料保持台上の記録材料と前記保持されたフィルム原稿との間に位置し、前記記録材料を遮光しかつ前記露光のときに開放するように移動する遮光幕と、前記遮光幕が遮光のために移動するとき前記遮光幕をカバーするように設けられた保護シートと、を備え、前記保護シートは、前記遮光幕の少なくとも前記フィルム原稿に対向する面を覆いながら前記遮光幕の遮光のための移動に連動して移動することを特徴とする。
【０００７】
このカラープルーフ作成装置によれば、遮光幕が記録材料を遮光するために移動するのに連動して保護シートが遮光幕のフィルム原稿に対向する面を覆うことにより、遮光幕をカバーするので、フィルム原稿が保護シートに接触しても擦れることはなく、フィルム原稿に傷が付かない。
【０００８】
上記カラープルーフ作成装置において、前記保護シートは、前記保持枠側の一端で固定され、前記遮光幕の上面（フィルム原稿に対向する面）及び下面を覆う状態で他端で巻き取り機構により巻き取られるように構成することが好ましい。
【０００９】
また、前記遮光幕が前記記録材料を遮光するため前記フィルム原稿の下側に移動すると、前記巻き取り機構が巻き取りとは反対の方向に回転駆動されながら前記遮光幕の先端部が前記保護シートを押しながら移動することで、遮光幕が保護シートに上面・下面を覆われるように構成できる。
【００１０】
また、前記原稿台上のフィルム原稿を押さえて保護するためのカバーシートを備えるように構成できるが、遮光幕の移動時にはカバーシートとの間でも擦れるときがあるが、保護シートを設けることでカバーシートの傷付き防止効果も得ることができる。
【００１１】
また、前記保護シートが弛まないようにテンション機構が設けられていることが好ましい。
【発明の効果】
【００１２】
本発明のカラープルーフ作成装置によれば、遮光幕とフィルム原稿とが擦れることがなくなり、フィルム原稿に傷が付かない。
【発明を実施するための最良の形態】
【００１３】
以下、本発明を実施するための最良の形態について図面を用いて説明する。図１は本実施の形態によるカラープルーフ作成装置の内部を側面から見た側面図である。図２は図１のカラープルーフ作成装置の要部側面図である。図３は図２の遮光幕６０とスプロケット６１の近傍を詳しく示す要部側面図である。
【００１４】
本実施の形態によるカラープルーフ作成装置は、イエロー版（Ｙ版）、マゼンタ版（Ｍ版）、シアン版（Ｃ版）及び墨版（Ｋ版）の複数の分解網原稿からなる印刷用分解網原稿の組を使って、本番の印刷版を作成する前に、これらの分解網原稿にレイアウトの間違いや、色の間違いや、文字の誤りがないか等を検査し、印刷物の仕上がりを予め確認するためのカラープルーフ（校正物）を作成するものである。
【００１５】
このカラープルーフ作成装置は、印刷用分解網原稿の組の各分解網原稿の原稿フィルムを１枚又は複数枚ずつ位置決めして記録材料に重ねて、各分解網原稿の画像を露光することを、順次行って、カラープルーフを作成する。
【００１６】
図１，図２に示すように、本実施の形態によるカラープルーフ作成装置１の本体部１０は、脚部１２に支えられた本体フレーム１１の上側にフィルム原稿を保持する保持枠４０と、保持枠４０の上部に開閉自在に設けられた遮光カバー２０（図１の破線で示す）と、を備える。
【００１７】
また、遮光カバー２０の内側に保持枠４０内の露光面を走査しながら露光する光源部３０が設けられている。光源部３０の中心部には管状光源ランプ３２が多角筒３１内に配置され、多角筒３１は各筒平面にＢ，Ｇ，Ｒ，ＮＤ等のフィルタ（図示省略）を配して回転し交換可能になっている。光源部３０はレール上を回転コロ３０ａにより図１の横方向に走行可能である。
【００１８】
図１，２のように、本体部１０の内部には、シート状の記録材料を保持するために矩形平面状の内部が空洞である筐体からなる記録材料保持台５１が設けられている。記録材料保持台５１の内部をブロワ（図示省略）によりフレキシブルなサクションホース８２，８３を介して減圧することにより、記録材料保持台５１上に形成されたサクション孔を介してシート状の記録材料に吸引圧を加え、記録材料を記録材料保持台５１上に密着し保持・固定する。
【００１９】
記録材料保持台５１は、モータ駆動機構（図示省略）により図の上下に移動し、図１，図２の実線の待機位置で露光前に待機し、図１の破線の供給位置で記録材料が供給されるようになっている。記録材料保持台５１は記録材料が保持枠４０により保持されたフィルム原稿に密着するように移動してから露光が行われる。
【００２０】
また、図１〜図３のように、露光前に記録材料保持台５１上の記録材料を遮光するためにベルト状の遮光幕６０がスプロケット６１，６２，６３，６４に掛け渡されたチェーン６５に連結されており、チェーン６５の全体長さの約半分に記録材料保持台５１を覆うに充分な長さの遮光幕６０が連結され、それにつづく約半分の長さの部分には何も連結されていない。スプロケット６１〜６４に掛け渡されたチェーン６５はエンドレス状に移動し、チェーン６５の移動とともに遮光幕６０は保持枠４０の下面４２（図２）よりもやや低い面を図１の横方向右側に移動し、下方にある記録材料保持台５１を覆うことで記録材料保持台５１を完全遮光状態にすることができる。また、記録材料保持台５１を開放するときにはチェーン６５を逆転させることで遮光幕６０が図１の横方向左側に戻り、これにより、記録材料保持台５１が開放状態となり、記録材料保持台５１を上下方向に移動させることができる。
【００２１】
具体的には、スプロケット６１，６２，６３，６４はチェーン６５に掛ける歯の付いたローラ状に構成され、図１〜図３のように、遮光幕６０は図２の複数の軸７０により支持されており、複数の軸７０がチェーン６５に連結され、チェーン６５が各スプロケット６１〜６４に掛けられて支持され、複数の軸７０を介して遮光幕６０とともに移動するように構成されている。
【００２２】
本実施の形態によるカラープルーフ作成装置１では、ハロゲン化銀カラー写真感光材料である長尺シート状の記録材料が所定長さに切断されて、記録材料保持台５１の所定位置に供給される。記録材料が記録材料保持台５１上の所定位置に移動すると、記録材料保持台５１の内部をサクションホース８２，８３を介して減圧し、記録材料を記録材料保持台５１上に密着して保持し固定する。この密着固定状態は複数回の全露光が完了するまで維持される。
【００２３】
次に、上記遮光幕６０による擦れに起因したフィルム原稿の傷付きを防止する保護シートの繰り出し構造について図３を参照して説明する。
【００２４】
図３のように、ベルト状の遮光幕６０の先端部６０ａはチェーン６５ａに取り付けられている。チェーン６５は、図２のスプロケット６１及び図１のスプロケット６２〜６４に掛けられて支持され、スプロケット６１が回転駆動されて移動することにより遮光幕６０を移動させる。このように、遮光幕６０の先端部６０ａはチェーン６５とともに繰り出されて移動し、また、収納（待避）する構造になっている。また、遮光幕６０の水平部分では、左右のチェーン（図３の紙面垂直方向の反対側にもう１組のチェーンが配置されている）に接続された軸７０により遮光幕６０が垂れ下がらないように支持される。
【００２５】
遮光幕６０の先端部６０ａはＰＯＭ等の樹脂材料から構成され、半円筒形状になっており、保護シート６６を傷付け難く、また滑り易くなっており、遮光幕６０及び保護シート６６の動きがスムーズになるように配慮されている。
【００２６】
保護シート６６は、一端６６ａがスプロケット６１の近傍で保持枠４０の下面の固定部４１（図２）により固定されており、遮光幕６０の上面（フィルム原稿に対向する面）を覆い先端部６０ａを包囲するようにして遮光幕６０の下面に延びている。スプロケット６１の下側近傍には保護シート６６の他端からシートロール６８で保護シート６６を巻き取るようにした巻き取り機構６７が設けられている。巻き取り機構６７のシートロール６８はスプロケット６１を介して回転駆動されるようになっている。
【００２７】
また、シートロール６８には、保護シート６６が弛まないようにテンション機構６９が設けられており、保護シート６６にローラ６９ａを介して適度なテンションが加えられるようになっている。
【００２８】
遮光幕６０が、記録材料の遮光のため保持枠４０の図２の下面４２側（記録材料保持台５１上の記録材料の上側）に移動し繰り出してくると、遮光幕ベルトの先端部６０ａが保護シート６６を押しながら出てきて、このとき、保護シート６６の巻き取り機構６７のシートロール６８が巻き取りとは反対の方向に回転駆動されることで、必要なだけ保護シート６６が巻き戻される。
【００２９】
次に、図１〜図３のカラープルーフ作成装置１の動作について図４（ａ）乃至（ｃ）を参照して説明する。図４は、図１〜図３のカラープルーフ作成装置１における遮光幕の繰り出し移動工程（ａ）、フィルム原稿交換後の遮光幕の開放移動（ｂ）及び露光工程（ｃ）を概略的に示す図である。
【００３０】
図４（ａ）に示すように、保持枠４０に保持されたフィルム原稿Ｆにより光源部３０を図の横方向に走査して露光を行った後、フィルム原稿を交換する際に、図３のように遮光幕６０が繰り出されて移動すると、遮光幕６０は図４（ａ）の破線で示すように保護シート６６に上面（フィルム原稿Ｆに対向する面）及び下面を覆われる。保護シート６６は一端６６ａが固定された状態で遮光のための遮光幕６０の繰り出し移動に連動して図３の水平方向Ｈへ移動するので、保持枠４０で保持されたフィルム原稿に対し擦れることがない。このため、フィルム原稿の傷付きを防止することができる。
【００３１】
図４（ａ）のように遮光幕６０で記録材料保持台５１上の記録材料Ｓを覆い遮光状態としてから、記録材料保持台５１を図１，図２の待機位置に下降させてから、フィルム原稿Ｆを保持枠４０から取り外し、次の別のフィルム原稿Ｆ’を保持枠４０に保持する。このとき、図４（ｂ）のように、フィルム原稿Ｆ’をその周囲で保持枠４０とカバーシート４５との間で保持し、その後、遮光幕６０を保護シート６６とともに水平方向Ｈの逆方向Ｈ’に移動させて保持枠４０内の露光面を開放する。
【００３２】
次に、図４（ｃ）のように、記録材料保持台５１を上方に移動させて記録材料保持台５１上の記録材料Ｓを保持枠４０に保持されたフィルム原稿Ｆ’に密着させてから、多角筒３１を回転させてフィルタを交換した光源部３０が図の横方向に走査して露光を行う。
【００３３】
上述のようにして、各色毎に各フィルム原稿で順々に記録材料Ｓに対し露光を繰り返し行なう。すべての露光が終了すると、図１の破線のように、記録材料保持台５１を供給位置まで下降させ、記録材料Ｓの密着状態をサクションを解除して解放し、露光後の記録材料Ｓを搬送し現像処理部（図示省略）に送り込み、現像処理、漂白定着処理、安定化処理を行い、乾燥処理した後に現像処理済みの記録材料がカラープルーフとして出力する。
【００３４】
以上のように、図１〜図４の保護シート６６の移動構造によれば、フィルム原稿は保護シート６６に接触するが、擦れることはないので傷が付かない。また、図４のカバーシート４５がフィルム原稿を押さえて保護するようになっているが、上述の遮光幕６０はその動作時にカバーシート４５に対しても擦れるが、保護シート６６を設けることによりカバーシート４５における傷発生防止効果も得ることができる。
【図面の簡単な説明】
【００３５】
【図１】本実施の形態によるカラープルーフ作成装置の内部を側面から見た側面図である。
【図２】図１のカラープルーフ作成装置の要部側面図である。
【図３】図２の遮光幕６０とスプロケット６１の近傍を詳しく示す要部側面図である。
【図４】図１〜図３のカラープルーフ作成装置における遮光幕の繰り出し移動工程（ａ）、フィルム原稿交換後の遮光幕の開放移動（ｂ）及び露光工程（ｃ）を概略的に示す図である。
【図５】従来のカラープルーフ作成装置を概略的に示す要部側面図である。
【符号の説明】
【００３６】
１ カラープルーフ作成装置
２０ 遮光カバー
３０ 光源部
４０ 保持枠
４１ 固定部
４５ カバーシート
５１ 記録材料保持台
６０ 遮光幕
６０ａ 先端部
６１〜６４ スプロケット
６６ 保護シート
６６ａ 一端
６７ 巻き取り機構
６９ テンション機構
Ｆ、Ｆ’ フィルム原稿
Ｈ 水平方向
Ｈ’ 水平方向Ｈの逆方向
Ｓ 記録材料
【図１】
2005309128.tif 000003
【図２】
2005309128.tif 000004
【図３】
2005309128.tif 000005
【図４】
2005309128.tif 000006
【図５】
2005309128.tif 000007